(57)【特許請求の範囲】
【請求項１】
左右の縦枠（21）を横枠（13）により連結してなる複数枚のパネル（10）を、左側パネルの右縦枠（21）の軸部（25）と右側パネルの左側縦枠（21´）の軸部（25´）を中心に、それぞれ折り合う方向に少なくとも９０度回動するように長蝶番（20）を介して連結してなる折りたたみパネル装置において、前記長蝶番の前記左右軸部を軸受けする中間体（24）の上端部に上蝶番（18）のセンターケース（32）を取り付け、前記センターケースに左右の回転軸（33、33´）を前記左右軸部に同軸に取り付け、両側の前記縦枠（21、21´）に固定した前記上蝶番のサイドケース（37、37´）を前記回転軸を介して前記センターケースに連結し、前記センターケースに前記回転軸を中心とする中心角９０度の円柱面状のカム面（40、40´）を形成し、前記カム面の一端側に一方の凹凸部（39、39´）を他端側に他方の凹凸部（41、41´）を形成し、前記サイドケースに先端が前記カム面と係合するフォロワ（42、42´）をサイドケース左右方向（縦枠左右方向）に摺動自在に収容し、前記サイドケースに前記フォロワを前記カム面に押圧するばね部材（43、43´）を設け、前記サイドケース左右方向を前記センターケース左右方向に一致させたとき、前記フォロワの先端は前記カム面の一方の凹凸部（39、39´）の凸部をのりこえて凹部にはまり、前記サイドケース左右方向をセンターケース左右方向に直交させたとき、前記フォロワの先端は前記カム面の他方の凹凸部（41、41´）の凸部をのりこえて凹部にはまるようにしたことを特徴としてなる折りたたみパネル装置用蝶番。
【請求項２】
サイドケース（37、37´）の左右方向をセンターケース（32）の左右方向に一致させるときにフォロワ（42、42´）がのりこえる一方の凹凸部（39、39´）の凸部を、他方の凹凸部（41、41´）の凸部よりも大きくしたことを特徴とする請求項１に記載の折りたたみパネル装置用蝶番。
【発明の詳細な説明】
【０００１】
【産業上の利用分野】
本発明は間仕切りに使用する折りたたみパネル装置用蝶番の改良に関するものであり、さらに詳しく述べると、装置を伸長したときは各パネルをハンガーレール長手方向に一直線に整列させ、折りたたんだときはハンガーレール長手方向に対して各パネルを垂直に整列させる蝶番の改良に係わるものである。
【０００２】
【従来の技術】
折りたたみパネル装置は左右の縦枠を横枠で連結してなる複数枚のパネルを幅方向の側端面全長に渡って延長する長蝶番で連結したものであり、長蝶番の左側のパネルの右縦枠と右側のパネルの左縦枠は長蝶番の一部を構成する。その長蝶番の上端面に別に上蝶番を設け、その上蝶番によって展開したパネルを一直線に、折りたたんだパネルをハンガーレール長手方向に垂直に維持する。
【０００３】
この種の折りたたみパネル装置用蝶番は、特開平４−３６８５８５号によって公知である。この公知の蝶番は、幅方向両側に軸受部を備えた長蝶番の中間体の上部に上蝶番の台座を固定し、その台座の幅方向両側面をハンガーレール長手方向に直交する第１カム面に、それに直交するパネルが回動する側の面をハンガーレールに平行する第２カム面にそれぞれ形成し、ピボットをパネルの横枠にパネル幅方向出入自在に配設し、そのピボットにピボット出入方向と直交しかつ台座のカム面と摺接する摺接面を形成し、横枠とピボットの間にピボットを押し出すスプリングを設け、パネルを伸長したときは、上記スプリングが摺接面が第１カム面に密着させることにより全パネルをハンガーレール長手方向に一直線に整列させ、パネルを折りたたんだときは、上記スプリングが摺接面を第２カム面に密着させることにより全パネルをハンガーレール長手方向に垂直に整列させるものである。
【０００４】
【発明が解決しようとする課題】
公知装置はパネルの横枠に中にピボットとそのピボットを弾圧するスプリングを配設するため、パネルの構造が複雑になるだけでなく、パネルの形状、寸法を自由に設計することができないという問題があった。
本発明はこの問題を解決するためになされたものであり、その目的とするところは、パネル伸長時に全パネルをハンガーレール長手方向に一直線に安定よく整列させ、パネル折りたたみ時は全パネルをハンガーレール長手方向に垂直に安定して整列させることができる蝶番であって、パネルの横枠の形状、寸法に影響を与えないものを提供することにある。
【０００５】
【課題を解決するための手段】
前記目的を達成するために本発明が採用する手段は、長蝶番の左右軸部を軸受けする中間体の上端部に上蝶番のセンターケースを取り付け、そのセンターケースに左右の回転軸を左右軸部に同軸に固定し、両側の縦枠に固定した上蝶番のサイドケースを回転軸を介してセンターケースに連結し、センターケースに回転軸を中心とする中心角９０度の円柱面状のカム面を形成し、カム面の一端側に一方の凹凸部を他端側に他方の凹凸部を形成し、サイドケースに先端が前記カム面と係合するフォロワをサイドケース左右方向（縦枠左右方向）に摺動自在に収容し、サイドケースにフォロワをカム面に押圧するばね部材を設け、サイドレール左右方向をセンターケース左右方向に一致させたとき、フォロワの先端はカム面の一方の凹凸部の凸部をのりこえて凹部にはまり、サイドレール左右方向をセンターケース左右方向に直交させたとき、フォロワの先端はカム面の他方の凹凸部の凸部をのりこえて凹部にはまるようにした。
【０００６】
【作用】
本発明の蝶番はセンターケースとその両側のサイドケースからなる上蝶番を有するが、センターケースは長蝶番の中間体に、サイドケースは長蝶番の一部であるパネルの縦枠に固定され、パネルの横枠の形状、寸法には全く影響しないから、横枠の形状、寸法は蝶番とは関係なく自由に設計することができる。
【０００７】
パネルを展開したとき、サイドケースに収容したフォロワの先端はセンターケースに設けたカム面の一方の凹部分に嵌合するから、フォロワの位置すなわちパネルの位置が規制され、それによって、各パネルをハンガーレール長手方向に沿って一直線に安定して整列させることができる。パネルを折りたたんだとき、フォロワの先端はカム面の他方の凹部分に嵌合するから、フォロワの位置すなわちパネルの位置が規制され、それによって各パネルをハンガーレール長手方向に垂直に安定して整列させることができる。
【０００８】
【実施例】
本発明の装置を図面に示す実施例に基づいて説明する。
図１に示すように、４枚の同幅パネル10を３個の長蝶番20を介して相互回動可能に連結する。各長蝶番20の上端面に上蝶番18を取り付ける。図において、左端のパネル10はスライダ11を介してハンガーレール30に水平回動可能かつハンガーレール長手方向移動可能に吊る。左から２番目と４番目のパネル10はランナー12を介して水平回動可能にかつハンガーレール長手方向移動可能に吊る。各パネル10の幅方向両側の縦枠21は横枠13によって連結され、横枠13の上下の間にはスペーサ14を挿入する。先頭及び末尾パネル10の側端面22にクッションパネル29を付設する。
【０００９】
図２に示すように、長蝶番20は幅方向中央に位置する中間体24と、その両側に位置して両側のパネルの縦枠21、21´を兼ねるパネル連結体から構成され、中間体24の両側の円弧状の軸受部23、23´に縦枠21、21´の円筒状軸部25、25´を回動自在に軸受する。縦枠21、21´は横枠13、13´との結合面に凹溝26を備え、横枠13、13´に突条16を有するジョイント17を固定する。ジョイント17、17´の突条16、16´を縦枠21、21´の上面からその凹溝26、26´に摺動して挿入し、ジョイント17、17´を介して縦枠21、21´と横枠13、13´を結合する。両側のパネルは矢印で示すように、それぞれの軸部25、25´を中心に回動して折れる。
【００１０】
図３及び図４に示すように、長蝶番20の中間体24の上端部中央に上蝶番18のセンターケース32を装着し、そのセンターケース32の両側に左右のサイドケース37、37´を９０度回動可能に結合する。サイドケース37、37´は止めねじ34、34´により縦枠21、21´に固定する。サイドケース37、37´の内側端部に上から回転軸33、33´を通す。回転軸33、33´はセンターケース32をゆるく貫通し、長蝶番20を構成する縦枠21、21´の軸部25、25´に止めねじで固定される。又、サイドケース37、37´は止めねじ35、35´により底板を形成する連結プレート36、36´にねじ止めする。連結プレート36、36´は止めねじ38、38´により横枠13、13´にねじ止めすることができる。
【００１１】
図３に示すように、サイドケース37、37´はこの回転軸33、33´を中心に実線で示す展開位置から鎖線で示す折りたたみ位置へ９０度回動する。
図４に示すように、左右のサイドケース37、37´に回転軸33、33´を遊嵌する中空軸部27、27´を形成し、その中空軸部を遊嵌する円筒部28、28´をセンターケース32に形成する。センターケース32の円筒部28、28´の周囲にばね溝47、47´を形成する。
【００１２】
図５に示すように、センターケース32の左右の回転軸33、33´を中心とする外周面に回転角９０度の円柱状のカム面40、40´を形成し、そのカム面の一端に一方の凹凸部39、39´を他端に他方の凹凸部41、41´をそれぞれ形成する。サイドケース37、37´内にカム面40、40´と係合するフォロワ42、42´をサイドケース左右方向すなわちパネル左右幅方向に摺動自在に内装し、そのフォロワとサイドケースの間にコイルばね43、43´を介在させてフォロワをカム面に押圧する。サイドケース37、37´は回転軸33、33´を中心に９０度回動する。カム面40、40´の一方の凹凸部39、39´も他方の凹凸部41、41´もカム面40、40´に対して内側に凸部分が外側に凹部分があり、双方の凹部分の回転軸33、33´に対する中心角は９０度である。
【００１３】
図において、右半に示すように、センターケース32とサイドケース37´が左右方向に並ぶとき、フォロワ42´の先端はカム面40´の一方の凹凸部39の大きな凸部分をのりこえて凹部分にはまるから、サイドレール37´の位置は安定する。図において、左半に示すように、サイドケース37をセンターケース32に直交させたとき、フォロワ42の先端はカム面40の他方の凹凸部41の小さな凸部分をのりこえて凹部分にはまるから、サイドレール37の位置は安定する。
【００１５】
【発明の効果】
上記のとおり、本発明の蝶番は、パネルを展開したときは、各パネルを中間の長蝶番の左右方向に安定して一直線になるように保持し、各パネルを折りたたんだときは、各パネルを中間の長蝶番の左右方向に対して安定して垂直になるように保持するが、従来の横枠に設けたものとは異なり、パネルの縦枠の上端部のみに設けたから、パネルの横枠の形状、寸法は蝶番には関係なく自由に設計することができるという優れた効果を奏する。
【図面の簡単な説明】
【図１】は本発明の一実施例の蝶番を備えた間仕切の正面図、
【図２】は図１の長蝶番の平面図、
【図３】は図１の蝶番の平面図、
【図４】は図１の上蝶番の縦断面図、
【図５】は図１の上長番の横断面図、
【符号の説明】
10：パネル、11：ピボット、12：ランナー、13：横枠、14：スペーサ、18：上蝶番、20：長蝶番、21：縦枠、23：軸受部、24：中間体、25：軸部、27：中空軸部、28：円筒部、30：ハンガーレール、32：センターケース、33：回転軸、34、35：止めねじ、36：連結プレート、37：サイドケース、38：止めねじ、39：凹凸部、40：カム面、41：凹凸部、42：フォロワ、43：コイルばね
【図１】
0003733972.tif 000002
【図２】
0003733972.tif 000003
【図３】
0003733972.tif 000004
【図４】
0003733972.tif 000005
【図５】
0003733972.tif 000006